(57)【要約】【目的】既存の物干し台及び既存の扇形布団干し台及び既存旗竿に容易に着脱可能な後付式全方向形転倒防止装置を設置することにより、強風時の転倒を防止することが出来る。【構成】本発明の後付式全方向形転倒防止装置は大きく分けると基板と取り付け金具に分類され、基板は全て共通である。取付金具はＩ型とＩＩ型に分類される。既存の物干し台と既存の旗竿への設置の場合、Ｉ型の取り付け金具を使用する。又、既存の扇型布団干し台への設置の場合はＩＩ型の取付金具で対応する。【選択図】  図６
2006346385.tif 000002
【特許請求の範囲】
【請求項１】
一般的物干し台の基台（コンクリート製が多い）の下部に後付式に平板上の基板を設置しヘ型及びＬ型の取り付け金具の組み合わせとボルト用長穴により、多種多様の市販物干し基台と基板をボルトの仮締めで概ね固定し、更に締め付けボルトにより固定状態を強固にすることにより、風による転倒防止効果が期待できる後付式全方向形転倒防止装置である。
【請求項２】
扇形布団干し台の下部に後付式に平板上の基板を設置しＬ型金具を基板に固定した上、Ｌ型金具とコ型高さ調整受け金具をボルトで取り付け、更に押さえ金具で扇形布団干し器の下部の一部を挟み込むことで、一体として固定することにより、風による転倒防止効果が期待できめる後付式全方向形転倒防止装置である。
【請求項３】
一般的旗竿の基台（注水型ポールスタンドが多い）の下部に後付式に平板上の基板を設置しヘ型及びＬ型の取り付け金具の組み合わせとボルト用長穴により、多種多様の市販旗竿基台と基板をボルトの仮締めで概ね固定し、更に締め付けボルトにより固定状態を強固にすることにより、風による転倒防止効果が期待できる後付式全方向形転倒防止装置である。
【発明の詳細な説明】
【発明の詳細な説明】
【技術分野】
【０００１】本発明は既存の物干し台及び既存の扇形布団干し台及び既存の旗竿が風による転倒防止を図った後付式全方向形転倒防止装置に関する。
【背景技術】
【０００２】従来の物干し台は図１の１に示すように、上部の架台（鉄・ステンレス・アルミ製が多い）と下部の基台（コンクリート・ボリエチレン石膏注入型が多い）とからなる。一般的高さは１８０センチメートル程度あり、基台重量は１５キログラムから３０キログラム程度の幅がある。又、基台の底面サイズは約３０センチメートル×４０センチメートルの長方形が殆どであり、決して十分な安定とは言えない。近年は重量も軽量化し、底面サイズも縮小化の傾向が著しい。
又、過去の特許出願の中でも類似した考案もあるが、決定的な違いは風による転倒方向を予測して図６ＡＢＣＤの風向きの中でＡＣ又はＢＤのように二方向のみに限定した転倒防止装置であるが、これは実状をあまり把握していない考え方で、現実には同じ場所で使用していても、季節風や低気圧の通過前後の風向きは一定ではなく予想不可能である。現実に物干し台の転倒はあらゆる方向にばらつきが出る。【０００３】洗濯機の大型化に伴い、毛布・シーツ・布団などの大型の寝具が容易に洗濯できるようになった事と、周辺建物の高層化でビル風の発生も多くなり、外的要因・図６の風向きＡＢＣＤも一定方向ではなく、より厳しくなってきている。【０００４】これらの条件の変化に伴、近年、風により物干し台が転倒する現象が多く発生し、それに伴い洗濯物の汚濁はもとより、物干し台・物干し竿や周辺物の破損も多く発生している。そのため、後付式の転倒防止効果を著しく増大させる器具が求められてきた。【０００５】又、図２扇形布団干し台５は重量の有る基台を有しない上、扇型の角度を維持する機構が無い為、突風が吹くとバランスを崩して扇角度が変わり、転倒してしまう事が多い。そのため、後付式の転倒防止効果を著しく増大させる器具が求められてきた。【０００６】又、商店などで多く使用する旗竿も強風時に道路に倒れ込み交通の障害を発生させる事も数多く見られ、それにより旗竿が破損する場合も多数ある。そのため、後付式の転倒防止効果を著しく増大させる器具が求められてきた。
【発明が解決しようとする課題】
【０００７】従来提案されていた物干し台の転倒防止手段としては、図１に示す物干し台の基台３の上に重量物（石・コンクリートなど）を載置し、重量により転倒防止効果を図ろうとする方法が有るが、基台３の上側面の角度が急である事と、基台３の重心から転倒時の支点までの距離が約１５センチメートルしか無い事と、風の影響を受ける物干し台１の最上部が約１８０センチメートルある事から考え、てこの原理により１／１２の効率でしか効果が期待できない事が判る。又、一般的に物干し作業をする場合、裸足にサンダルを履く程度の軽装が多く、足元に堅固な重量物を置く事はつまずきの原因となり、足を怪我する可能性も高くなる。
【０００８】又、別の方法として図１に示す物干し台の基台３を１５センチメートル程度地面に埋め込む方法が有るが、物干し台１の高さが低くなり長いものを引きずりやすくなる事や、設置場所が限られ移動が不可能になる為に不便となる。
【０００９】又、別の方法として物干し台の基台３の両脇に杭を打ち、基台３と杭とを結束する事で転倒を防止する方法が考えられる。前記で説明した通り、てこの原理で杭の引き抜け抵抗に対して、転倒抵抗が１／１２の効率に減小することや、結束技術が高度となり、設置場所が限られ移動が不可能となる為に不便となる。
【００１０】又、図２で示す扇形布団干し台５の場合は、使用直前に移動させ設置するのが一般的で、殆どの場合に全く転倒防止措置を講じずに使用しているのが実状である。つまりこの場合の最優先課題は設置が容易に出来なければならない。
【００１１】又、旗竿の場合は強風時には、撤収したりガードレールや車止めポールに結束したりして転倒防止に対応しているが、場所が限定される為に、未だに多くの転倒した旗竿が見受けられる。特に旗竿の場合は公道に設置する場合が多く、転倒すると多くの場合に旗竿自身を破損してしまい、交通の障害となる場合も多い。単純に基台を重量化したり底面を広げると、車両と接触したり足を引っ掛けやすくなるので危険である。
【００１２】本発明の主たる目的は既存の物干し台及び既存の扇形布団干し台及び既存の旗竿に後付式に着脱自在に取り付けることが容易で、足元の障害が最小限で、自動車のタイヤに踏みつけられても問題の無い、あらゆる方向に対して転倒防止効果を増大させる、後付式全方向形転倒防止装置を提供することである。
【課題を解決するための手段】
【００１３】上記課題を解決するための本発明の物干し台用後付式全方向形転倒防止装置及び扇形布団干し台用後付式全方向形転倒防止装置及び旗竿用後付式全方向形転倒防止装置は、大きく基台２と取り付け金具４及び６に分けられる。最初に全てに共通の最も下に敷く基板２の説明をする。ここでは素材をステンレス製と仮定して説明する。基板の厚みは、１ミリメートルから１０ミリメートル程度が考えられる。物干し台に後付式全方向形転倒防止装置を設置して駐車上に置いた場合、自動車のタイヤが踏みつける可能性が有ることや、旗竿に後付式全方向形転倒防止装置を設置し路上に置いた場合にも、同様にタイヤで踏みつける可能性が高い。又、図８で示す通り、斜めに傾けながら回転させて簡易的に移動する場合にも、薄い基板の場合は変形が予想される。重量の面からも、より厚い方が理想的である。又、上限の厚みが１０ミリメートル以下である事は、つまずいて足を怪我したりしない為の制限である。
【００１４】基板２の平面的形状は図７で示す通り円形２１・楕円形２２・正方形２３・六角形又は八角形２４・放射形２５・長方形２６・Ｈ形２７・Ｎ形２８・三角合成形２９などが考えられ、それそれに長所や短所が有るが、ここでは最も単純で合理的な形の円形２１を選択して説明する。ここで最も重要なことは棒状の部品の組み合わせではなく、一体の板状の形状で全方向に対して同時に転倒防止効果が期待でき、更に足や自動車で踏みつけたりしても、安全で変形しない事が重要である。
【００１５】次に取り付け金具はＩ型及びＩＩ型に分類される。ここでも材質をステンレス製と仮定して説明する。図１・図３で示す通り、取り付け金具Ｉ型は既存物干し台を後付式全方向形転倒防止装置に固定する金具である。部品の構成は両側のＬ形金具とヘ形金具の組み合わせとボルト用長穴により、結合のスライド調整が可能で多種多様な形態とサイズの物干し基台を両側より挟み込み、更に両側の金具を連結するボルトの締め付けにより、固定を更に強固にする。最近はポリエチレン製の軟らかい物干し基台も数多くなってきており、安定した固定を維持するために、基台との接合は常に固定用ゴムパット１１を介して固定する。又、旗竿も同等な方法で固定する。
【００１６】次に取り付け金具ＩＩ型の説明をする。図２・図４で示す通り既存扇形布団干し台を後付式全方向形転倒防止装置に固定する金具である。部品の構成は両側のＬ形金具とコ形高さ調整用受け金具をボルト用長穴を介してボルトでスライド調整の上、固定する。その上に扇形布団干し台を開いた状態で載せて図２に示す通りに設置し、クッションゴム付き押さえ金具を載せて、左右の蝶螺子で容易に固定できる。又、取り外しも容易にできる。
【発明の実施形態】
【００１７】本発明の既存物干し台用及び既存旗竿用の後付式全方向形転倒防止装置を図面を参照しながら以下に説明する。図１は本発明に係る後付式全方向形転倒防止装置Ｉ型を物干し台の基台３に装着した状態を示している。図６に示す通り二台の物干し台１の架台の上部に物干し竿を渡してその上に大型の洗濯干し物２０（布団・毛布・シーツなど）を干した状況を示している。このような状況で突風を受けると当該装置の非装着時には当然のように物干し台は転倒しやすくなる。問題は転倒する方向を１００パーセント予測出来るかである。風向きＡＢＣＤどちらの風向きかは、季節はもとより、一日の中だけでも、まちまちであり、転倒する方向を予測することは不可能と考える。その結果、全方向に対して転倒防止効果を同時に発揮でき、更に足元に邪魔にならないように、極限まで扁平体の基板を選択した。又、基板の裏側を平らにする為に取り付け金具を留める為のボルトは基台に溶接する。材質は鉄・ステンレス・アルミ・チタン・合成樹脂・木などが考えられるが、耐久性と高比重からステンレスが最適と思われるが、コスト面から見ると防錆処理の仕方により鉄の可能性もある。又、基板のサイズは最も合理的形態と思われる円形２１で説明する。直径で５０センチメートルから１２０センチメートル程度が考えられるが、図１では直径７０センチルートルを標準寸法として採用してある。又、厚みは図１では３ミリメートルを採用している。
【００１８】これより取り付け方法を説明する。図１参照、基板２を設置場所に出来るだけ水平に置き、物干し台の基台３の短手方向を金具で押さえる向きになるように、ほぼ中央に置く。図３参照、両側のＬ形取付金具１３と締め付けボルト８を出来るだけ外側に開いた形でナット９・１０を仮止めし、両側のヘ形取付金具１２をＬ取り付け形金具１３にボルト１５とナット１０で仮締めする。両側のヘ形取付金具１２を足で踏みつけながらＬ取り付け形金具１３と強くボルトを締めつける。次に締め付けボルト８のナット１０を締め付けることにより両側のＬ取り付け形金具１３を内側にスライドさせ、物干し台の基体の斜め側面と固定用ゴムパットが強く密着して固定した事を確認した上で、Ｌ形取り付け金具１３と基板２とを袋ナット９を本締めにより固定する。旗竿もこれに準ずる。
【００１９】本発明の既存扇形布団干し台の後付式全方向形転倒防止装置を図面を参照しながら以下に説明する。図２は本発明に係る後付式全方向形転倒防止装置ＩＩ型を扇形布団干し台５に装着した状態を示している。
【００２０】これより取り付け方法を説明する。図２と図４参照、基板２の上に両側のＬ形取り付け金具１３袋ナット９で仮止めし、コ形高さ調整用受け金具３１をＬ形取り付け金具に１３ボルトで仮締めし、図２と同様な形に扇形布団干し台を開いた形で設置する。コ形高さ調整用受け金具３１を調整しボルトを本締めする。Ｌ形取り付け金具１３を基台２に袋ナットで本締め固定する。最後にクッションゴム付き押さえ金具を上から載せて、蝶螺子で両側を固定する。つまり、工具無しで着脱が容易にできる。
【発明の効果】
【００２１】本発明により、既存の物干し台及び既存の扇形布団干し台及び既存の旗竿に容易に着脱可能な後付式全方向形転倒防止装置を設置することにより、強風時の転倒を防止する効果が期待出来ます。
【図面の簡単な説明】
【００２２】
【図１】本発明の代表的基板形態の後付式全方向形転倒防止装置Ｉ型の一般的物干し台への取り付け状態を示す斜視図である。
【図２】本発明の代表的基板形態の後付式全方向形転倒防止装置ＩＩ型の扇形布団干し台への取り付け状態を示す斜視図である。
【図３】後付式全方向形転倒防止装置Ｉ型の斜視図です。
【図４】後付式全方向形転倒防止装置ＩＩ型の斜視図です。
【図５】後付式全方向形転倒防止装置Ｉ型の取り付け金具分解詳細図です。
【図６】後付式全方向形転倒防止装置Ｉ・ＩＩ型の一般的使用状況を示す斜視図及び、転倒を誘発する最大の外的要因である風向きを示す略図です。
【図７】台座として使用する基板形態のバリエーションです。
【図８】後付式全方向形転倒防止装置Ｉ型の簡易移動形態の斜視図です。
【符号の説明】
１．物干し台
２．後付式全方向形転倒防止装置の基板（台座）
３．物干し台の基台（一般的にコンクリートが多い）
４．後付式全方向形転倒防止装置Ｉ型の取り付け金具
５．扇形布団干し台
６．後付式全方向形転倒防止装置ＩＩ型
７．ボルト長穴（スライド調整用）
８．締め付け用長ボルト
９．袋ナット
１０．ナツト
１１．固定用ゴムパット
１２．ヘ型取り付け金具
１３．Ｌ型取り付け金具
１４．スプリングワッシャ
１５．ボルト
１６．大型ワッシャ
１７．ワッシャ
１８．溶接ボルト（基板）
１９．物干し竿
２０．布団又はシーツ・毛布などの大型干し物
２１．円形
２２．楕円形
２３．正方形
２４．六角形又は八角形
２５．放射形
２６．長方形
２７．Ｈ形
２８．Ｎ形
２９．三角合成形
３０．地面
３１．蝶螺子
３２．コ形高さ調整用受け金具
３３．クッションゴム付き押さえ金具
【図１】
2006346385.tif 000003
【図２】
2006346385.tif 000004
【図３】
2006346385.tif 000005
【図４】
2006346385.tif 000006
【図５】
2006346385.tif 000007
【図６】
2006346385.tif 000008
【図７】
2006346385.tif 000009
【図８】
2006346385.tif 000010